(57)【要約】      （修正有）【課題】車内に備え付けられているつり革に着脱自在に用いられ、持ち運びを容易にするとともに使い勝手をよくするつり革補助具を提供する。【解決手段】一対の把持部２と、一対の把持部２の間に設けられて一対の把持部２をつなぎ合わせる連結部３と、を有し、一対の把持部２のそれぞれに握り用穴部２２が形成され、一対の把持部２および連結部３が可撓性を備える素材によって形成される。【選択図】図４
0003226642.tif 000002
【実用新案登録請求の範囲】
【請求項１】
一対の把持部と、
前記一対の把持部の間に設けられて前記一対の把持部をつなぎ合わせる連結部と、を有し、
前記一対の把持部のそれぞれに握り用穴部が形成され、
前記一対の把持部および前記連結部が可撓性を備える素材によって形成される、
ことを特徴とするつり革補助具。
【請求項２】
前記素材が、天然皮革または合成皮革である、
ことを特徴とする請求項１に記載のつり革補助具。
【請求項３】
前記一対の把持部および前記連結部が、１枚の材料から一体として形成される、
ことを特徴とする請求項１または２に記載のつり革補助具。
【請求項４】
前記一対の把持部と前記連結部とが連接する方向と直交する方向における前記連結部の幅が、前記方向における前記把持部の幅よりも小さい、
ことを特徴とする請求項１から３のうちのいずれか１項に記載のつり革補助具。
【請求項５】
前記握り用穴部が、前記握り用穴部に相当する部分が折り返されることによって形成される、
ことを特徴とする請求項１から４のうちのいずれか１項に記載のつり革補助具。
【考案の詳細な説明】
【技術分野】
【０００１】
この考案は、つり革補助具に関し、具体的には、鉄道車両や路線バスの車内に備え付けられているつり革に対して着脱自在に取り付けられて用いられる把持具に関する。
【背景技術】
【０００２】
鉄道車両や路線バスの車内に備え付けられているつり革は、不特定多数の人が利用しているため、衛生的であるとは言い難く、直接触れることにストレスを感じる人も多い。車内に備え付けられているつり革に対して着脱自在に取り付けられて用いられる従来の補助具として、つり革の持ち手に引掛けて取り付ける引掛け部分と、引掛け部分と連接する支柱部分と、支柱部分と連接する握り手部分と、を有するつり革の持ち手用補助具が知られている（特許文献１参照）。
【先行技術文献】
【特許文献】
【０００３】
【特許文献１】実用新案登録第３１８１００３号公報
【考案の概要】
【考案が解決しようとする課題】
【０００４】
ところで、鉄道車両やバス車内に備え付けられているつり革に対して補助具を取り付けて用いるためには、補助具を常時持ち運ぶ必要がある。しかしながら、特許文献１の持ち手用補助具は、引掛け部分および握り手部分とこれらを連結する支柱部分とが合成樹脂によって一定の形状を有する一体として形成されて変形しないため、嵩張り、例えば鞄の中に収納しづらく、持ち運びに適しているとは言えない、という問題がある。
【０００５】
そこでこの考案は、持ち運びに適して且つ使い勝手がよい、つり革補助具を提供することを目的とする。
【課題を解決するための手段】
【０００６】
上記課題を解決するために、請求項１に記載の考案は、一対の把持部と、前記一対の把持部の間に設けられて前記一対の把持部をつなぎ合わせる連結部と、を有し、前記一対の把持部のそれぞれに握り用穴部が形成され、前記一対の把持部および前記連結部が可撓性を備える素材によって形成される、ことを特徴とするつり革補助具である。
【０００７】
請求項２に記載の考案は、請求項１に記載のつり革補助具において、前記素材が、天然皮革または合成皮革である、ことを特徴とする。
【０００８】
請求項３に記載の考案は、請求項１または２に記載のつり革補助具において、前記一対の把持部および前記連結部が、１枚の材料から一体として形成される、ことを特徴とする。
【０００９】
請求項４に記載の考案は、請求項１から３に記載のつり革補助具において、前記一対の把持部と前記連結部とが連接する方向と直交する方向における前記連結部の幅が、前記方向における前記把持部の幅よりも小さい、ことを特徴とする。
【００１０】
請求項５に記載の考案は、請求項１から４に記載のつり革補助具において、前記握り用穴部が、前記握り用穴部に相当する部分が折り返されることによって形成される、ことを特徴とする。
【考案の効果】
【００１１】
請求項１に記載の考案によれば、持ち運びを容易にすることが可能となるとともに、使い勝手を向上させることが可能となる具体的には例えば、一対の把持部および連結部が可撓性を備える素材によって形成されるようにしているので、鞄の中に入れて持ち運ぶ際に場所をとらず、或いは衣服のポケットに入るサイズであり且つ歩行などの邪魔になることもなく、持ち運びが非常に容易である。また、例えば鉄道車両やバス車内に備え付けられているつり革の持ち手の形状や大きさによらずつり革補助具を掛け垂らして取り付けることができ、さらに、つり革の持ち手に限らず、様々な設備等につり革補助具を掛け垂らしたり巻き掛けたりすることができ、汎用性が非常に高く使い勝手がよい。加えて、つり革補助具を利用すれば、つり革の持ち手に直接触れる必要がないので、衛生的である。
【００１２】
請求項２に記載の考案によれば、つり革補助具として良好な可撓性および耐久性を備えるものとして形成することが可能となる。
【００１３】
請求項３に記載の考案によれば、製造を簡易にすることが可能となる。
【００１４】
請求項４に記載の考案によれば、鉄道車両やバス車内に備え付けられているつり革の持ち手の穴部が例えば円形の場合に、穴部に把持部を通して持ち手を跨ぐ状態で連結部を持ち手に対して掛けた際の、連結部のしわのよりの程度を抑えて、連結部を持ち手や穴部の形状に良好に沿わせて巻き掛け、つり革補助具を持ち手に対して安定的に取り付けることが可能となる。
【００１５】
請求項５に記載の考案によれば、製造を簡易にするとともに、把持部のうちの握り部分を二重して厚みを増すことができ、つり革補助具の使用に際して握り部分を握った使用者に対してしっかりとした握り心地を与えることが可能となる。
【図面の簡単な説明】
【００１６】
【図１】この考案の実施の形態に係るつり革補助具の構成を示す平面（表面）図である。
【図２】図１のつり革補助具の底面（裏面）図である。
【図３】図１のつり革補助具の折り返し部を折り返す前の状態を示す平面（表面）図である。
【図４】図１のつり革補助具の使用状態を示す図である。
【図５】図４のつり革補助具の使用状態の縦断面図である。
【図６】図１のつり革補助具の他の使用状態を示す図である。
【考案を実施するための形態】
【００１７】
以下、この考案を図示の実施の形態に基づいて説明する。図１はこの考案の実施の形態に係るつり革補助具１の構成を示す平面図であり、図２は底面図である。図１は、言い換えると、つり革補助具１が広げられた状態における表面であって、使用状態において外側になる面である。図２は、言い換えると、つり革補助具１が広げられた状態における裏面であって、使用状態において内側になる面である。
【００１８】
つり革補助具１は、例えば鉄道車両やバス車内に備え付けられているつり革に対して着脱自在に取り付けられて用いられる用具であり、一対の把持部２と、一対の把持部２の間に設けられて一対の把持部２をつなぎ合わせる連結部３と、を有し、一対の把持部２のそれぞれに握り用穴部２２が形成され、一対の把持部２および連結部３が可撓性を備える素材によって形成される、ようにしている。
【００１９】
一対の把持部２のそれぞれに、つり革補助具１が広げられた状態の平面視において概ね楕円形の握り用穴部２２が形成される。図に示す例では、握り用穴部２２は、自身の長手方向（言い換えると、一対の把持部２と連結部３とが連接する方向と直交する方向）に沿う一部を除いて裁断する切り目／切込みが設けられて折り返し可能であるように形成された折り返し部２１が（図３参照）、つり革補助具１が広げられた状態の平面視において端側（言い換えると、一対のうちの相手方の把持部２とは反対側）へと折り返されることによって形成される。折り返し部２１は、折り返された状態が維持されるように、把持部２のうちの、折り返された状態で対向する部分と接着されることが好ましい。
【００２０】
把持部２のうちの、つり革補助具１が広げられた状態の平面視において握り用穴部２２よりも端側（言い換えると、一対のうちの相手方の把持部２とは反対側）の部分のことを「握り部分２３」と呼ぶ。すなわち、折り返し部２１が握り部分２３へと折り返されることによって握り用穴部２２が形成される。
【００２１】
折り返し部２１が握り部分２３へと折り返されるようにすることにより、握り部分２３が二重になって厚みが増し、つり革補助具１の使用に際して握り部分２３を握った使用者に対してしっかりとした握り心地が与えられる。
【００２２】
握り用穴部２２は、折り返し部２１が折り返されることによって形成されるのではなく、図３に示す例における折り返し部２１に相当する部分が切り取られる（別言すると、くり抜かれる）ことによって形成されるようにしても良い。
【００２３】
連結部３は、一対の把持部２の間に介在して、これら一対の把持部２を連結する。一対の把持部２と連結部３とが連接する方向と直交する方向における連結部３の幅Ｗcは、前記方向における把持部２の幅Ｗgよりも小さいことが好ましい（図３参照）。
【００２４】
つり革補助具１を構成する一対の把持部２および連結部３は、可撓性を備えるとともに伸縮しない（もしくは、殆ど伸縮しない）素材によって形成される。一対の把持部２および連結部３の素材は、可撓性を備え且つ伸縮しない（もしくは、殆ど伸縮しない）種類であれば特定の種類に限定されるものではなく、可撓性や伸縮性の有無に加えて例えば耐久性が考慮されるなどした上で適当な素材／材料が適宜選択される。つり革補助具１の素材としては、例えば、天然皮革、合成皮革、合成樹脂（但し、可撓性を備え且つ伸縮しない／殆ど伸縮しないもの）、または布が挙げられる。
【００２５】
つり革補助具１の素材として天然皮革、合成皮革、合成樹脂、或いは布を用いることにより、裁断などの加工を容易に行うことができ、また、つり革補助具１を軽量なものとすることができる。
【００２６】
つり革補助具１を形成する素材は、抗菌性や耐水性を備えていたり、抗菌処理や防水処理が施されたりすることが好ましい。
【００２７】
一対の把持部２と連結部３とは、１枚の材料（例えば、天然皮革、合成皮革、合成樹脂、布）から一体として形成されることが特に製造を簡易にする点において好ましいものの、各々が別体として形成されたうえで接合されるようにしてもよい。
【００２８】
つり革補助具１は、例えば鉄道車両やバス車内に備え付けられているつり革の持ち手８（別言すると、吊り輪）の穴部８１に一対の把持部２のうちの一方の把持部２が通され、連結部３が持ち手８を跨ぐ状態で、持ち手８に対して掛け垂らすようにして取り付けられる（図４および図５参照）。この際、把持部２は、可撓性を備えているので、通常の使い方において掴まれたり握られたりするための穴部８１に対して十分に小さくなるように折り畳まれたり十分に細くなるように丸められたりして、穴部８１に容易に通され得る。
【００２９】
そのうえで、一方の把持部２が他方の把持部２と対向し、また、把持部２各々の握り用穴部２２の位置が合わせられた状態で、把持部２各々の握り用穴部２２の両方を貫通するように指が挿し入れられて、把持部２各々の握り部分２３が一緒に握られる。
【００３０】
図４や図５では持ち手８および穴部８１が円形である場合を例に挙げているが、つり革補助具１が取り付けられて用いられ得る持ち手８や穴部８１の形状は、円形に限定されるものではなく、例えば三角形、五角形、あるいはたまご形などの様々な形状であっても構わない。掴まれたり握られたりするための穴部８１を持ち手８が有していれば、持ち手８や穴部８１がどのような形状であっても、連結部３が可撓性を備えているので、連結部３が持ち手８や穴部８１の形状に沿って巻き掛かり、連結部３が持ち手８に十分に接触した状態でつり革補助具１が持ち手８に対して安定的に取り付けられる。
【００３１】
また、一対の把持部２と連結部３とが連接する方向と直交する方向における連結部３の幅Ｗcが前記方向における把持部２の幅Ｗgよりも小さく設定されて形成されることにより、持ち手８の穴部８１が例えば円形の場合に、穴部８１に把持部２が通されて連結部３が持ち手８を跨ぐ状態で持ち手８に対して掛けられた際の、連結部３のしわのよりの程度が抑えられて、連結部３が持ち手８や穴部８１の形状に良好に沿って巻き掛かり、つり革補助具１が持ち手８に対して安定的に取り付けられる。
【００３２】
つり革補助具１は、例えば鉄道車両やバス車内に備え付けられているつり革の持ち手８に限らず、その他の設備等に掛けられて取り付けられるようにしてもよい。例えば、つり革（具体的には、つり革のストラップ）を吊り下げるために水平方向に設けられている棒９に掛け垂らされて取り付けられるようにしてもよく（図６参照）、あるいは、座席の周辺などに垂直方向に設けられている棒などに巻き掛けられて取り付けられるようにしてもよい。
【００３３】
上記のようなつり革補助具１によれば、持ち運びを容易にすることが可能となるとともに、使い勝手を向上させることが可能となる。具体的には例えば、一対の把持部２および連結部３が可撓性を備える素材によって形成されるようにしているので、鞄の中に入れて持ち運ぶ際に場所をとらず、或いは衣服のポケットに入るサイズであり且つ歩行などの邪魔になることもなく、持ち運びが非常に容易である。また、例えば鉄道車両やバス車内に備え付けられているつり革の持ち手８の形状や大きさによらずつり革補助具１を掛け垂らして取り付けることができ、さらに、つり革の持ち手８に限らず、様々な設備等につり革補助具１を掛け垂らしたり巻き掛けたりすることができ、汎用性が非常に高く使い勝手がよい。加えて、つり革補助具１を利用すれば、つり革の持ち手８に直接触れる必要がないので、衛生的である。
【００３４】
以上、この考案の実施の形態について説明したが、具体的な構成は、上記の実施の形態に限られるものではなく、この考案の要旨を逸脱しない範囲の設計の変更等があっても、この考案に含まれる。例えば、つり革補助具１の形状は、図に示す例の形状に限定されるものではなく、各々に握り用穴部２２が形成されている一対の把持部２とこれら一対の把持部２の間の連結部３とを有していればどのような形状であっても構わない。
【符号の説明】
【００３５】
１        つり革補助具
２        把持部
２１      折り返し部
２２      握り用穴部
２３      握り部分
３        連結部
８        持ち手
８１      穴部
９        棒
【図１】
0003226642.tif 000003
【図２】
0003226642.tif 000004
【図３】
0003226642.tif 000005
【図４】
0003226642.tif 000006
【図５】
0003226642.tif 000007
【図６】
0003226642.tif 000008